(57)【要約】  家具基本構造２において長手方向に可動に案内される引出し部分３のための引込め機構５に関する。引込め機構５は、エネルギー蓄積器を備え、エネルギー蓄積器は、拡張可能な部分が開かれたときに緊張し、その蓄積されたエネルギーは、部分３の押込み位置から、引込め力として解放されて、部分３に伝達される。引込め機構５は、永久磁石６と、磁化可能な材料から作られた逆磁極片又は第２の永久磁石７とを包含する永久磁石装置が、エネルギー蓄積器に加えて設けられ、所定の引込み位置における有効引込め力を強化するように具現される。要素６，７の一方は、家具基本構造に取り付けられ、他方の要素は部分３に取り付けられ、これらの接触面は、接触面が接触する場合、拡張可能な部分が互いに平行に可動に押し込まれたとき、部分３が閉じた位置から引き出されたとき、押込み方向に対して垂直に延びる。【選択図】図１
2009518089.tif 000002
【特許請求の範囲】
【請求項１】
家具基本構造（２）に長手方向に変位可能な態様にて案内される引出し部分（３）のための引込め機構（５）であって、
前記引出し部分（３）が開かれたときに付勢されるエネルギー蓄積器を有し
蓄積されたエネルギーが、前記引出し部分（３）における構造的に所定の押込み位置から、引込め力として解放されて、引出し部分（３）に伝達されるような引込め機構において、
エネルギー蓄積器に加えて、所定の引込め位置における有効引込め力を高めるために、永久磁石（６）と、磁化可能な材料から作られた逆磁極の要素（７）又は第２の永久磁石（７）とから作られた永久磁石装置（６，７）が設けられ、
それぞれの場合に、前記永久磁石装置における前記要素（６，７）の一方が、前記家具基本構造（２）に取り付けられ、前記要素（６，７）の他方が、前記引出し部分（３）に取り付けられて、これらの要素の接触面が、前記引出し部分が押し込まれたとき、これらの要素が接すると、押込み方向に対して垂直に延在し、前記引出し部分（３）が閉じた位置から引き出されたとき、互いに平行に変位し得ることを特徴とする引込め機構。
【請求項２】
前記引出し部分（３）に取り付けられた、前記永久磁石装置における前記要素（６，７）は、レバー（８）の上端部に取り付けられ、
前記レバーの底端部は、前記引出し部分（３）に関節にてつながれており、ピン（９）を中心として枢動することができ、
前記レバー（８）は、前記永久磁石装置における第２の要素（６，７）の方向に、垂直に対して傾斜しており、前記永久磁石装置における前記第２の要素（６，７）の方向に、ばねによって、一定の荷重を受けていることを特徴とする請求項１に記載の引込め機構。
【請求項３】
前記引出し部分（３）に、前記レバー（８）の下側を支持する支持ピン（１１）を設け、前記レバーは、前記家具基本構造（２）の背面（２ａ）に向けられ、前記永久磁石装置における２つの前記要素（６，７）が、前記引出し部分（３）の押込み方向に対して垂直な互いに対面する接触面と互いに同一レベルに配置される位置にあることを特徴とする請求項２に記載の引込め機構。
【請求項４】
前記永久磁石装置における２つの前記要素（６，７）間の接触位置に達すると、前記支持ピン（１１）による前記レバー（８）の支持が解消されることを特徴とする請求項３に記載の引込め機構。
【請求項５】
前記支持ピン（１１）は、前記引出し部分（３）の長手方向のガイドにおいて、所定の量の遊びをもって、高さ調整可能な態様にて案内され、前記支持ピン（１１）には延長アーム（１２）が設けられ、この延長アームは、側面（１３ａ，１３ｂ）を備えたガイド手段（１３）に案内され、この側面はそれぞれ、前記家具基本構造（２）の背面（２ａ）の方向に斜めに上昇し、前記家具基本構造（２）の背面（２ａ）の方向に斜めに下降していることを特徴とする請求項４に記載の引込め機構。
【請求項６】
前記家具基本構造に取り付けられた、前記永久磁石装置における前記要素（６，７）は、水平ピンを中心として枢動し得ると共に、垂直方向に動き得るように、前記家具基本構造（２）に結合されていることを特徴とする請求項１〜５のいずれか一項に記載の引込め機構。
【請求項７】
前記支持ピン（１１）の最大高さ調整は、前記ガイド手段（１３）における２つの前記側面（１３ａ及び１３ｂ）間の転換点（１３ｃ）によって決定されていることを特徴とする請求項１〜６のいずれか一項に記載の引込め機構。
【請求項８】
前記横方向延長アーム（１２）と前記ガイド手段（１３）との間の接触が解消されたときであっても、前記ガイドの内部にて傾動する前記支持ピン（１１）により、ばね式の前記レバー（８）の当接によって、前記支持ピン（１１）は、その最大高さ位置に固定されることを特徴とする請求項１〜７のいずれか一項に記載の引込め機構。
【請求項９】
前記ガイド手段（１３）と、前記支持ピン（１１）における前記横方向延長アーム（１２）とにおいて、この横方向延長アームは前記ガイド手段にて案内され、非常に低い摺動摩擦係数で対となる材料からなることを特徴とする先行するいずれかの請求項に記載の引込め機構。
【請求項１０】
前記永久磁石装置における前記要素（７）は前記引出し部分（３）に取り付けられると共に、レバー（８）の上端部に配置され、
前記レバーの底端部は、ピン（９）を中心として枢動し得るように前記引出し部分（３）に関節にてつながれ、
前記レバー（８）は、前記永久磁石装置における第２の要素（６）の方向における垂直に対して傾斜し、作動装置（１６）の支持ピン（１１）によって荷重を受けることを特徴とする請求項１に記載の引込め機構。
【請求項１１】
前記レバー（８）は、前記引出し部分（３）のストッパ（１７）に押し付けられることを特徴とする請求項１０に記載の引込め機構。
【請求項１２】
前記レバー（８）は、ばねによって、前記支持ピン（１１）その他の支持手段に接するよう引っ張られることを特徴とする請求項１０に記載の引込め機構。
【請求項１３】
前記レバー（８）と、該レバーの上端部に設けられた逆磁極の要素（７）とは、磁化可能な材料から一体的に作られていることを特徴とする請求項１０に記載の引込め機構。
【請求項１４】
前記作動装置（１６）は、ボーデンケーブルを備えていることを特徴とする請求項１０〜１３のいずれか一項に記載の引込め機構。
【請求項１５】
前記作動装置（１６）は、起電手段、電磁手段、又は液圧手段を用いて、前記支持ピン（１１）に作用することを特徴とする請求項１０〜１３のいずれか一項に記載の引込め機構。
【請求項１６】
前記作動装置（１６）の作動は、前記引出し部分の前面（１８）からトリガーし得ることを特徴とする請求項１０〜１３のいずれか一項に記載の引込め機構。
【発明の詳細な説明】
【技術分野】
【０００１】
本発明は、家具基本構造に長手方向に変位可能な態様にて案内される引出し部分のための引込め機構に関し、引出し部分が開かれたときに付勢されるエネルギー蓄積器を有し、蓄積されたエネルギーは、引出し部分における構造的に所定の押込み位置から、引込め力として、引出し部分に伝達されるような引込め機構に関する。
【背景技術】
【０００２】
上述したタイプの引込め機構は、それ自体知られている。かかる引込め機構の手段によれば、それらのいくつかは、ダンパーと組み合わせられて、引出し部分は、それが最終的な押込み位置に達する直前に、外部からなんら更なる又は追加的な力を適用せずに、家具基本構造における最終的な押込み位置に引き入れられる。引出し部分が引き出されたときに付勢されるエネルギー蓄積器は、ここで解放され、蓄積されたエネルギーは、引出し部分を家具基本構造の内部における最終的な押込み位置に引っ張るために使用される。
【０００３】
実際には、引込め力を簡単に高めることが望ましいような用途の事例が存在する。従って、例えば、ガイド手段を介して制御されるカバーを、囲み状の引出し部分に密封作用をもって引き入れるために、引込め力を高めることが望ましいだろう。これは、ある種のタイプの皿洗いの事例である。しかしながら、引込め力の増加は、全周のシールに抗して対応する大きな力によって、引出し部分を押圧するために使用されることがある。
【発明の開示】
【発明が解決しようとする課題】
【０００４】
本発明の目的は、引込め力の増加が達成され、有効引込め力に比べてかなり低い力の付加を用いて引き出しが可能となる、一般的なタイプの引込め機構を開発することである。
【課題を解決するための手段】
【０００５】
この目的を達成するために本発明においては、エネルギー蓄積器に加えて、所定の引っ込め位置における有効引込め力を高めるために、永久磁石と、磁化可能な材料から作られた逆磁極の要素又は第２の永久磁石とから作られた永久磁石装置が設けられ、それぞれの場合に、この永久磁石装置における１つの要素は、家具基本構造に取り付けられ、他方の要素は、引出し部分に取り付けられて、これらの要素の接触面は、引出し部分が押し込まれたとき、これらが接すると、押込み方向に対して垂直に延在し、引出し部分が閉じた位置から引き出されたとき、互いに平行に変位し得る。
【０００６】
かかる構成の利点は、引出し部分が押し込まれたとき、全体として引込め機構の作用を高めるために、永久磁石装置に固有の力がかなり増加することである。他方において、これらの増加した引込め力は、開放の目的を再び克服する必要はなく、永久磁石装置の要素は、接触面に対して垂直に互いに引き離されることで隔てられることはなく、むしろ、接触面は、互いに平行に変位することで隔てられ、この場合、高い引込め力が提供されるにもかかわらず、引出し部分を開放するための力は比較的小さくなっている。
【０００７】
本発明のさらに別の特徴は、従属請求項の主題を形成している。
【０００８】
本発明の例示的な実施形態について、以下、詳細に説明し、それらは添付図面に図示されている。
【発明を実施するための最良の形態】
【０００９】
図面において、模式的に図示されたキャビネットユニットは、全体を符号１にて示され、キャビネットユニットは、同様にだけ示された家具基本構造２を有していると共に、家具基本構造に長手方向に変位可能な態様にて取り付けられた、引出し部分３を有している。
【００１０】
引出し部分３は、公知の態様にて、家具基本構造２に結合されており、引出し部分は、ガイドレール４を介して、長手方向に変位することができ、統合された引込め機構５を有し、この場合に、それ自体知られた態様にて、引出し部分３が開かれたとき、又は、家具基本構造２から引き出されたとき、エネルギー蓄積器は付勢され、このエネルギー蓄積器の蓄積されたエネルギーは、引出し部分における構造的に所定の押込み部分から、再び、解放されて、引込め力として引出し部分３に伝達される。
【００１１】
かかる引込め機構５の構造及び機能については、それ自体知られているので、引込め機構については、ここでは詳細に図示又は説明しない。
【００１２】
対応する引込め機構は、欧州特許第０３９１２２１号明細書に、その機能と共に、詳細に図示されて説明されている。この点に関して、欧州特許第０３９１２２１号明細書は、引込め機構に関するその開示内容について、本願の主題の一部分をなす。
【００１３】
本発明の意味の中で、引出し部分３に作用し得る引込め力を高める目的のため、エネルギー蓄積器を備えた公知の引込め機構に加えて、永久磁石装置が設けられ、この永久磁石装置は、永久磁石６と、磁化可能な材料から作られた逆磁極の要素７又はさらに別の永久磁石７とを備えている。それぞれの場合において、永久磁石装置における一方の要素は、ここでは、家具基本構造２に取り付けられ、それぞれの他方の要素は、引出し部分３に取り付けられている。
【００１４】
図示の例示的な実施形態の場合には、永久磁石６は、家具基本構造２に配置され、逆磁極の要素７又はさらに別の永久磁石７は、枢動レバー８を介して、引出し部分３に結合されている。
【００１５】
枢動レバー８は、ピン９を中心として枢動し得るように、引出し部分３に取り付けられている。この支持点は、家具基本構造２における底部領域に配置され、一方、逆磁極の要素７（又はさらに別の永久磁石７）は、レバー８の他端に固定され、家具基本構造２における上部領域に、家具基本構造２自体に取り付けられた永久磁石６と同じく配置されている。
【００１６】
永久磁石装置における２つの要素６及び７の、２つの互いに対面する接触面は、共通する軸線方向において、互いに同じレベルに配置されている。
レバー８は、軸受９から始まり、垂直に対して上方に傾斜しており、この場合、逆磁極の要素７は、常に、軸受９に比べて、永久磁石６により近くなっている。
【００１７】
また、この場合には、ばね１０は、永久的に、上述した方向に、レバー８を予圧している。
【００１８】
支持ピン１１は、引出し部分３に、垂直に変位可能な態様にて取り付けられ、支持ピンは、家具基本構造２に固定されたガイド手段１３を介して、水平延長アーム１２によって、高さを調整することができるようになっている。ここで、支持ピン１１は、このレバー８と共通する平面において、レバー８の下方に配置され、この場合に、レバー８は、この支持ピン１１に支持できるようになっている。
【００１９】
永久磁石６は、支持部分１４に固定され、支持部分は、家具基本構造２に結合されて、水平ピン１５を中心として枢動し得るようになっている。
【００２０】
支持ピン１１は、所定の量の遊びをもって、引出し部分３における垂直に走行する長手方向のガイド（明確には図示せず）の内部に取り付けられ、この場合、支持ピン１１は、横方向の荷重を受けたとき、ガイド内でブロックされる。
【００２１】
ガイド手段１３には、側面１３ａが設けられ、側面１３ａは、家具基本構造２の背面２ａの方向に昇り坂になっており、側面１３ｂは、側面１３ａから、家具基本構造２の背面２ａの方向に下り坂になっている。転換点１３ｃ、すなわち、ガイド手段１３における最も高い点は、支持ピンに結合されている延長アーム１２を介して、支持ピン１１を最大程度に上昇させる。
【００２２】
支持ピン１１のこの最大延長運動は、永久磁石装置における２つの要素６及び７が互いに接触する充分前に生じる。
【００２３】
図１は、引入れ部分３の位置を示しており、この位置は、支持ピン１１の横方向延長アーム１２が転換点１３ａに達するまで、家具基本構造２の背面２ａの方向に、引出し部分が完全に開いた位置から出たときに達成される。この位置において、レバー８は、支持ピン１１の上端に対して当接し、工程中にレバーによってモーメントが働く。引入れ部分３が、この位置を脱して、図１においてさらに右に、すなわち、家具基本構造２の中へ、後者の背面２ａの方向に入ると、支持ピン１１は、一方においてはガイドの間の、他方においては支持ピン１１の、大きな所定の公差のために、そのガイド内にとブロックされる。
【００２４】
従って、この場合に、横方向延長アーム１２が転換点１３ｃを通過した後においてさえも、レバー８は、図１に見られる位置に保持される。この位置においては、永久磁石装置における２つの要素６及び７は、既に述べたように、互いに対向して整列して、互いに同じレベルに配置される。ここで、２つの要素６及び７の互いに対面する接触面は、引出し部分３の押込み方向に対して垂直になっている。
【００２５】
図３は、引出し部分３の変位位置を示しており、この位置では、永久磁石装置における２つの要素６及び７の間に接触が存在している。磁力は、２つの要素６及び７が互いに接触する直前に、従来のタイプの引込め機構５だけによって可能であるのに比べて、引出し部分３がかなり強い引込め力を受けることを意味している。
【００２６】
そして、レバー８は、逆磁極の要素７（又はさらに別の永久磁石７）を介して、永久磁石６に支持されているので、引出し部分３が家具基本構造２の背面２ａの方向へさらに変位すると、荷重を生じ、支持ピン１１は、排除されたレバー８によってこの荷重を受ける。次に、支持ピンは、重力のために、そのガイド内にて下方に落下して、その端部位置に達することができる。逆磁極の要素７は、レバー８の枢動運動によって、円弧の経路にわたって動くという事実のために、永久磁石６は、水平ピン６ａを中心として枢動すると共に、垂直方向に変位することが可能でなければならない。これは、２つの要素６及び７の間の接触面が、互いに依然として当接しつつも、図４に明瞭に示されるように、垂直に対して傾斜していることを意味している。
【００２７】
引出し部分３が、再び、開く方向に、引出し部分３の最終的な閉じた位置に対応する、この位置から変位するならば、図５に従って、永久磁石装置６，７の位置は、最初に達する。ここで、明らかに、２つの要素６及び７は依然として互いに当接しているが、引出し部分３の変位方向に対して垂直な位置に戻っている。さらに開く運動が実行されると、ばね１０は、家具基本構造２の背面２ａの方向に、さらにレバー８を枢動させる。これは、永久磁石装置６及び７の２つの接触面に、図６に示すように、互いに平行な変位をもたらす。また、この平行な変位は、最終的には、永久磁石装置における２つの要素６及び７を互いに隔てさせ、この目的のためには、著しく大きな外力を適用する必要がない。
【００２８】
図７に示すように、いったん、永久磁石装置における２つの要素６及び７が隔てられると、支持ピン１１の延長アーム１２は、ガイド手段１３の側面１３ｂを通過し、この側面は、家具基本構造２の背面２ａに向かっており、従って、ガイド内を上方に動かされる。従って、支持ピン１１は、再び、レバー８の下側に当接する。これは、レバー８が、家具基本構造２の背面２ａの方向に、これ以上偏向するのを防止する。
【００２９】
引出し部分３が受ける有効引込め力は、従って、永久磁石装置６及び７によって、構造的に所定の変位領域にわたって、かなり増加し、この場合、引出し部分３に作用するこれらの引込め力は、ここでは述べない別の機能を制御するために使用される。
【００３０】
対照的に、引出し部分３がその閉じた位置から外れて動いたときには、引出し部分は、もはや、克服すべきと述べた増加した引込め力を必要としない。というのは、上述した要素６及び７の２つの接触面が互いに平行に変位する故に、永久磁石装置６，７は隔てられ、この目的のためには、比較的小さな外力で充分であるからである。
【００３１】
永久磁石装置６，７によって引出し部分３が簡易に受け得る、増加した引込め力は、例えば、ガイドカバー（ここでは図示せず）を、囲み状の引出し部分に密封作用をもって押圧するために使用することができる。かかる解決策は、例えば、対応して設計された皿洗いにおいて有利である。しかしながら、増加した引込め力は、例えば、家具基本構造の全周のシール及び変形させるべきシールのために、前面パネルを備えた引出し部分３を引き出すためにも使用することができる。本発明による解決策は、増加した引込め力が望ましい、いかなる場合にも使用することができ、引出し部分が開かれ又は引き出されるとき、対応する力は、達成することが望ましい比較的高い引込め力と同程度には増加しないという利点がある。
【００３２】
ガイド手段１３及び支持ピン１１の横方向延長アーム１２において、延長アームはガイド手段にて案内されており、非常に低い摺動摩擦係数をもって対となる材料から作られている。
【００３３】
ここまでの説明で述べられた、図１〜図９に従った、本発明の例示的な実施形態の場合には、支持ピン１１は、引出し部分３の長手方向の運動によって、事実上、排他的に制御される。
【００３４】
図１０〜図１１ｄに従った例示的な実施形態は、これとは異なり、支持ピン１１を、手動で、又は、起電手段、電磁手段、又は液圧手段を用いて、作動装置１６によって動かすことができる。
【００３５】
図１１ａから明らかなように、作動装置１６が作動状態にない場合、支持ピン１１は、下方からレバーに押し付けられ、レバー８の最大枢動位置は、引出し部分３に設けられた当接部１７によって、ここに固定される。
【００３６】
これの代替手段として、レバー８を特定の位置に固定することも考えられ、そのためには、レバー８をばねによって支持ピン１１に対して引っ張り、例えば、支持ピン１１をそのガイド内の軸線ストッパに対して当接させて、支持ピン１１を正確に所定の位置に保持する。
【００３７】
図１１ａに示すように、引出し部分３のこの閉じた位置においては、永久磁石６及び逆磁極の要素７又はさらに別の永久磁石は、互いに当接する。
【００３８】
図示された例示的な実施形態においては、逆磁極の要素７又はさらに別の永久磁石７は、別個の要素として、レバー８に固定されている。しかしながら、これの代替手段として、レバー８と逆磁極の要素７とを、磁化材料から一体的に作ることも考えられ、その結果、製造コストを著しく低下させることができる。
【００３９】
次に、作動装置１６が作動すると、支持ピン１１は、図１１ｂと併せて理解できるように、その支持位置から下方に離れて動くことができ、レバー８に当接する。この目的のためには、引出し部分３が長手方向に変位することは必要ではない。そして、引出し部分３が、この位置から引っ張られて、開く方向に家具基本構造３から出ると、レバー８が枢動可能に取り付けられた軸受９は、家具基本構造２に取り付けられた永久磁石６から前方へ、家具基本構造２の前面の方向に動き、その結果、逆磁極の要素７又はレバー８に取り付けられたさらに別の永久磁石は、一方においては、静止として説明されるように、永久磁石６に対して上縁を中心として傾動し、他方においては、同時に下方へ動かされる。これは、永久磁石６と逆磁極の要素７又はさらに別の永久磁石との間に、一定して増加する空気隙間の形成をもたらし、この場合にも、引出し部分３を開くのに必要な引出し力は、永久磁石６／逆磁極の要素７の対を閉じて保持するのに必要な力に比べて小さくなる。
【００４０】
所定の開放距離から、レバー８は、次に、再び、下方に動いた支持ピン１１に支持され、又は、図１１ｃに明らかに示すように、任意のその他の所望の支持手段に支持される。この位置において、永久磁石６と逆磁極の要素７とは、互いに完全に隔てられる。
【００４１】
引出し部分３が開かれたときには、レバー８に設けられた永久磁石７又は変形例としてレバー８に固定された逆磁極の要素７は、永久磁石６の全体の接触面にわたって、その上縁によって掃引することが可能であり、又は、レバー８が早期の段階に支持ピン１１又は任意のその他の所望の支持手段にて既に支持されているならば、永久磁石７又は対応する逆磁極の要素の上縁が、依然として、永久磁石６の底縁から所定の距離にあるとき、永久磁石６から既に隔てられる。
【００４２】
引出し部分３は、次に、家具基本構造２から出て、その引出し位置へ入ることができ、作動装置１６が非作動になるのに続いて、支持ピン１１は、再び、上昇して、最終的にはレバー８が、当接部１７に当接する。この状況は、図１１ｄから理解されよう。
【００４３】
そうした位置において、引出し部分が、次に、閉じる方向に戻ると、永久磁石６と逆磁極の要素７との作用は、最終的な閉じた位置に達する直前に、増加した閉じ力を生じさせ、ついには、図１１ａに従った開始位置から分かるように、逆磁極の要素７が永久磁石６に当接する。
【００４４】
図示した例示的な実施形態においては、作動装置１６は、ボーデンケーブルであり、このボーデンケーブルは、図１０に極めて明らかに示されるように、引出し部分３の前面１８から操作され得る。しかしながら、図示した例示的な実施形態とは対照的に、支持ピン１１のための作動装置は、また、電気的なアンロック装置、例えば、電気モータで作動する偏心円板を備えた直動装置の形態などから構成してもよい。
【００４５】
支持ピンは、永久磁石によって、又は、液圧シリンダを介して動かすことも同様に可能であり、これらの実施形態のすべては、単に示唆として列挙されたもので、引出し部分３の前面１８の領域に設けられた作動装置１６を作動させる作動要素を有している。
【００４６】
従って、ユーザは、引出し部分３の前面１８から作動装置１６を作動させることで、まず最初に、支持ピン１１の解放をトリガし、次に、引出し部分３に引っ張り運動をさせることで、この引出し部分３を開く。作動装置１６は、常に、非作動時には、支持ピン１１が再び上部の作動位置に戻され、レバー８がストッパ１７に対して押圧されるように構成されるべきである。
【図面の簡単な説明】
【００４７】
【図１】引込め機構と、長手方向に変位可能な態様にて案内された引出し部分を備えた家具基本構造との一部分を模式的に示している。
【図２】図１に対して１８０゜回転させた視認方向から見た、引込め機構の部分図である。
【図３】図１に対応する図であるが、引出し部分は、図１に比べてさらに押し込まれている。
【図４】図１及び図３に対応する図であるが、引入れ部分は、完全に押し込まれている。
【図５】本質的に図３に対応する図であるが、引出し部分は、図４による押込み位置から、再び、途中まで、引き出されている。
【図６】図５に対応する図であるが、引出し部分は、さらに引き出されている。
【図７】図６に対応する図であるが、引出し部分は、さらに引き出され、永久磁石装置における要素が離れている。
【図８】図７に対して１８０゜回転させた視認方向から見た、引込め機構の部分図である。
【図９】図１の矢印ＸＩの方向から見た図である。
【図１０】本発明のさらに別の例示的な実施形態による、長手方向に変位可能な態様にて案内された引出し部分を備えた、家具基本構造を模式的に示した部分平面図である。
【図１１ａ】家具基本構造の端部領域と引出し部分とを通して、一部を破断して示した垂直図である。
【図１１ｂ】別の位置にて、家具基本構造の端部領域と引出し部分とを通して、一部を破断して示した垂直図である。
【図１１ｃ】更に別の位置にて、家具基本構造の端部領域と引出し部分とを通して、一部を破断して示した垂直図である。
【図１１ｄ】更に他の位置にて、家具基本構造の端部領域と引出し部分とを通して、一部を破断して示した垂直図である。
【図１】
2009518089.tif 000003
【図２】
2009518089.tif 000004
【図３】
2009518089.tif 000005
【図４】
2009518089.tif 000006
【図５】
2009518089.tif 000007
【図６】
2009518089.tif 000008
【図７】
2009518089.tif 000009
【図８】
2009518089.tif 000010
【図９】
2009518089.tif 000011
【図１０】
2009518089.tif 000012
【図１１ａ】
2009518089.tif 000013
【図１１ｂ】
2009518089.tif 000014
【図１１ｃ】
2009518089.tif 000015
【図１１ｄ】
2009518089.tif 000016
【国際調査報告】
2009518089.tif 000017
2009518089.tif 000018
2009518089.tif 000019
2009518089.tif 000020